(57)【要約】【課題】  予め定めた順序で複数の調理器を並行して作動させることができ、これにより効率的に調理することができる調理システムを提供する。【解決手段】  調理システム１０は複数の調理器１１，１４，１７と、最初に調理が開始される第１の調理器１１に設けられた警報器２１と、第１の調理器１１に設けられたスタートスイッチ２３と、スタートスイッチ２３に接続された制御部２５とを備えている。第１の調理器１１の調理始期を基準とした２台目以降の調理器１４，１７の調理始期についての情報が予め制御部２５に入力されている。制御部２５は、第１の調理器１１の調理始期から一定時間経過後に警報器２１を作動させ、２台目以降の調理器１４，１７の調理始期を知らせる。【選択図】  図１
2005173894.tif 000002
【特許請求の範囲】
【請求項１】
複数の調理器と、
最初に調理が開始される第１の調理器に設けられたスタートスイッチと、
スタートスイッチに接続された制御部と、
制御部によって作動される警報器とを備え、
予め制御部に、第１の調理器の調理始期を基準とした２台目以降の調理器の調理始期についての情報が入力されており、
制御部は、スタートスイッチから入力される第１の調理器の調理始期から一定時間経過後に警報器を作動させ、２台目以降の調理器の調理始期を知らせることを特徴とする調理システム。
【請求項２】
さらに、予め制御部に、第１の調理器の調理始期を基準とした各調理器の調理終期についての情報が入力されており、
制御部は、第１の調理器の調理始期から一定時間経過後に警報器を作動させ、さらに各調理器の調理終期を知らせることを特徴とする請求項１記載の調理システム。
【請求項３】
スタートスイッチは第１の調理器の起動スイッチに貼り付けられたシートスイッチからなり、制御部はスタートスイッチを介して第１の調理器の調理始期を検知することを特徴とする請求項１記載の調理システム。
【請求項４】
制御部は複数のメニューを内蔵するとともに、各メニューに対応したメニュースイッチを有し、
予め制御部に、第１の調理器の調理始期を基準とした２台目以降の調理器の調理始期についての情報が各メニュー毎に入力されており、
制御部はメニュースイッチのいずれかを入れておくことにより、対応するメニューを選択し、第１の調理器の調理始期から一定時間経過後に警報器を作動させ、選択されたメニューに基づいて２台目以降の調理器の調理始期を知らせることを特徴とする請求項１記載の調理システム。
【請求項５】
複数の調理器と、
各調理器に接続され、複数のメニューを内蔵するとともに各メニューに対応したメニュースイッチを有する制御部とを備え、
予め制御部に、最初に調理が開始される第１の調理器の調理始期を基準とした２台目以降の調理器の調理始期についての情報が各メニュー毎に入力され、
制御部はメニュースイッチのいずれかを入れておくことにより、対応するメニューを選択し、選択されたメニューに基づいて第１の調理器の調理始期から一定期間経過後、２台目以降の調理器を順次作動させることを特徴とする調理システム。
【請求項６】
制御部はメニュースイッチのいずれかを入れることにより、対応するメニューを選択し、選択されたメニューに基づいて第１の調理器の調理を開始させることを特徴とする請求項５記載の調理システム。
【請求項７】
さらに、予め制御部に、第１の調理器の調理始期を基準とした各調理器の調理終期についての情報が各メニュー毎に入力されており、
制御部はメニュースイッチのいずれかを入れておくことにより、対応するメニューを選択し、選択されたメニューに基づいて第１の調理器の調理始期から一定期間経過後、さらに各調理器を順次停止させることを特徴とする請求項５記載の調理システム。
【請求項８】
制御部に接続されたスタートスイッチが第１の調理器に設けられ、
スタートスイッチは第１の調理器の起動スイッチに貼り付けられたシートスイッチからなり、制御部はスタートスイッチを介して第１の調理器の調理始期を検知することを特徴とする請求項５記載の調理システム。
【発明の詳細な説明】
【技術分野】
【０００１】
本発明は、複数の調理器を予め定めた方法で並行して使用することができる調理システムに関する。
【背景技術】
【０００２】
チェーン展開を行っている外食業においては、効率化のため、食材の一括調達および調理加工の集中化が行われている。この結果、多くの場合、レストランには半加工された食材が運び込まれ、レストランの厨房ではこれらの食材を電子レンジやオーブン等の調理器を用いて解凍や加熱等の調理を行っている。また、レストランにおいて効率的な調理を行うことにより、オーダーを受けた後、料理を迅速に提供することができるという利点もある。
【発明の開示】
【発明が解決しようとする課題】
【０００３】
昨今では消費ニーズの多様化に伴い、メニュー数が増加するだけでなく料理自体も複雑化する傾向にある。このため、調理工程も複雑化し、一つのメニューを完成させるために、複数の食材を別々に調理しなければならない場合もある。この場合、料理を迅速に提供するためには、複数の調理器により並行して食材を調理する必要がある。
【０００４】
しかしながら、従来、調理人の経験的知識に基づいて複数の調理器が操作されているので、料理を完成させるまでに要する時間が一定とならず、また料理の味が変化してしまうこともある。
【０００５】
本発明はこのような点を考慮してなされたものであり、予め定めた順序で複数の調理器を並行して作動させることができ、これにより効率的に調理することができる調理システムを提供することを目的とする。
【課題を解決するための手段】
【０００６】
本発明は、複数の調理器と、最初に調理が開始される第１の調理器に設けられたスタートスイッチと、スタートスイッチに接続された制御部と、制御部によって作動される警報器とを備え、予め制御部に、第１の調理器の調理始期を基準とした２台目以降の調理器の調理始期についての情報が入力されており、制御部は、スタートスイッチから入力される第１の調理器の調理始期から一定時間経過後に警報器を作動させ、２台目以降の調理器の調理始期を知らせることを特徴とする調理システムである。
【０００７】
本発明は、さらに、予め制御部に、第１の調理器の調理始期を基準とした各調理器の調理終期についての情報が入力されており、制御部は、第１の調理器の調理始期から一定時間経過後に警報器を作動させ、さらに各調理器の調理終期を知らせることを特徴とする調理システムである。
【０００８】
本発明は、スタートスイッチは第１の調理器の起動スイッチに貼り付けられたシートスイッチからなり、制御部はスタートスイッチを介して第１の調理器の調理始期を検知することを特徴とする調理システムである。
【０００９】
本発明は、制御部は複数のメニューを内蔵するとともに、各メニューに対応したメニュースイッチを有し、予め制御部に、第１の調理器の調理始期を基準とした２台目以降の調理器の調理始期についての情報が各メニュー毎に入力されており、制御部はメニュースイッチのいずれかを入れておくことにより、対応するメニューを選択し、第１の調理器の調理始期から一定時間経過後に警報器を作動させ、選択されたメニューに基づいて２台目以降の調理器の調理始期を知らせることを特徴とする調理システムである。
【００１０】
本発明は、複数の調理器と、各調理器に接続され、複数のメニューを内蔵するとともに各メニューに対応したメニュースイッチを有する制御部とを備え、予め制御部に、最初に調理が開始される第１の調理器の調理始期を基準とした２台目以降の調理器の調理始期についての情報が各メニュー毎に入力され、制御部はメニュースイッチのいずれかを入れておくことにより、対応するメニューを選択し、選択されたメニューに基づいて第１の調理器の調理始期から一定期間経過後、２台目以降の調理器を順次作動させることを特徴とする調理システムである。
【００１１】
本発明は、制御部はメニュースイッチのいずれかを入れることにより、対応するメニューを選択し、選択されたメニューに基づいて第１の調理器の調理を開始させることを特徴とする調理システムである。
【００１２】
本発明は、さらに、予め制御部に、第１の調理器の調理始期を基準とした各調理器の調理終期についての情報が各メニュー毎に入力されており、制御部はメニュースイッチのいずれかを入れておくことにより、対応するメニューを選択し、選択されたメニューに基づいて第１の調理器の調理始期から一定期間経過後、さらに各調理器を順次停止させることを特徴とする調理システムである。
【００１３】
本発明は、制御部に接続されたスタートスイッチが第１の調理器に設けられ、スタートスイッチは第１の調理器の起動スイッチに貼り付けられたシートスイッチからなり、制御部はスタートスイッチを介して第１の調理器の調理始期を検知することを特徴とする調理システムである。
【発明の効果】
【００１４】
本発明によれば、事前に効率的な調理方法の情報を制御部に入力することができ、第１の調理器で調理を開始した後、２台目以降の調理器の調理始期に至ると、事前に入力された情報に基づき制御部が警報器を作動し、警報器から警報音が発せられる。これにより、作業者は２台目以降の調理器の調理始期を忘れることはなく、効率的に調理を行うことができる。
【発明を実施するための最良の形態】
【００１５】
［第１の実施形態］
以下図面を参照して本発明の第１の実施の形態について説明する。
【００１６】
図１は本発明による調理システムの第１の実施の形態を示す概略図である。
【００１７】
図１に示すように、調理システム１０は第１の調理器１１と、第２の調理器１４と、第３の調理器１７と、第１の調理器１１に設けられたスタートスイッチ２３と、スタートスイッチ２３に接続された制御部２５と、第１の調理器１１に設けられるとともに制御部２５に接続された警報器２１とを備えている。
【００１８】
第１の調理器１１、第２の調理器１４および第３の調理器１７は例えば、電子レンジ、オーブン、電熱器等からなっている。
【００１９】
ところで上述の構成のうちスタートスイッチ２３は、最初に調理が開始される第１の調理器１１の、調理を開始させる起動スイッチ１２に貼り付けられたシートスイッチからなっている。シートスイッチは、押されることによって容易に変形させられるとともに、内蔵された接点が接続されてスイッチが「入」となるシート状のスイッチである。したがって、スタートスイッチ２３の上から第１の調理器１１の起動スイッチ１２を押すことができるとともに、押した場合にはスタートスイッチ２３が「入」の状態となる。
【００２０】
次に制御部２５について説明する。制御部２５は電気ケーブル２４を介して上述したスタートスイッチ２３に接続されているので、スタートスイッチ２３が「入」となったこと、すなわち第１の調理器１１の起動スイッチ１２が押されて第１の調理器１１による調理が開始されたことを検知する。
【００２１】
また、制御部２５は後述するような予め効率的な調理方法が検討された複数のメニューを内蔵するとともに、各メニューに対応する複数のボタンから形成されるメニュースイッチ２６を有している。そして、各メニュースイッチ２６に対応するメニュー毎に、第１の調理器１１の調理始期を基準とした第１の調理器１１の調理終期と２台目以降の調理器１４，１７の調理始期および調理終期とが効率的な調理方法に基づいて予め定められ、かつ入力されている。
【００２２】
ここで、各調理器１１，１４，１７による調理方法の例としてメニュー（１）およびメニュー（２）をそれぞれ図２および図３に示す。
【００２３】
図２に示すメニュー（１）は、例えば食材Ａ，ＢおよびＣから構成される単品料理または定食である。メニュー（１）においては、まず第１の調理器１１で食材Ａの調理を開始するとともに、第１の調理器１１による調理始期から４分後に第２の調理器１４により食材Ｂの調理を、第１の調理器１１による調理始期から８分後に第３の調理器１７により食材Ｃの調理を開始する。その後３台の調理器１１，１４，１７によって並行して調理を進め、第１の調理器１１の調理始期から１６分後に、第１の調理器１１、第２の調理器１４および第３の調理器１７は同時に調理を終了する。その後、食材Ａ，ＢおよびＣの盛り付けを行い、メニュー（１）が完成する。このメニューの場合、第１の調理器１１の調理終期が１６分、第２の調理器１４の調理始期が４分、調理終期が１６分、第３の調理器１７の調理始期が８分、調理終期が１６分として制御部２５に入力される。
【００２４】
図３に示すメニュー（２）は、例えば食材Ｄ，Ｅからなる単品料理または定食である。メニュー（２）においては、まず第１の調理器１１で食材Ｄの調理を開始し、８分後に第１の調理器１１による調理は終了する。第２の調理器１４による食材Ｅの調理は、第１の調理器１１の調理始期から４分後に開始され、第１の調理器１１の調理始期から１２分後に終了する。第３の調理器１７では、第１の調理器１１で調理された食材Ｄを、第１の調理器１１の調理始期から９分後、すなわち第１の調理器１１による調理の終了した１分後に開始し、第１の調理器１１の調理始期から１６分後に終了する。このように、一つの食材Ｄを２種類の調理器（この場合、第１の調理器１１と第３の調理器１７）で順次調理する場合にも用いることができる。また、第２の調理器１４による食材Ｅの調理は、第３の調理器１７による食材Ｄの調理完了より４分早く終了しており、この４分間で第２の調理器１４で調理された食材Ｅを包丁で切る等の簡単な作業を行うことができる。その後、食材ＥおよびＤの盛り付けを行い、メニュー（２）が完成する。このようなメニューの場合、第１の調理器１１の調理終期が８分、第２の調理器１４の調理始期が４分、調理終期が１２分、第３の調理器１７の調理始期が９分、調理終期が１６分として制御部２５に入力される。
【００２５】
さらに、制御部２５は電気ケーブル２２を介して警報器２１に接続されており、第１の調理器１１の調理が開始された後、第１の調理器１１の調理終期、２台目以降の調理器１４，１７の調理始期または調理終期に至った場合、この警報器２１を作動することができるようになっている。なお、調理始期と調理終期および調理器１１，１４，１７別に警報器２１の警報音の種類および警報回数を変更することができるようになっている。
【００２６】
次に、このような構成からなる本実施の形態の作用について説明する。
【００２７】
まず、メニュースイッチ２６から、いずれかのメニューを選択するとともに、食材が各調理器１１，１４，１７にセットされる。
【００２８】
次に、第１の調理器１１の起動スイッチ１２が押され、第１の調理器１１による調理が開始されるとともに、制御部２５はスタートスイッチ２３を介して第１の調理器１１の調理始期を検知する。また、第１の調理器１１の調理始期を検知した制御部２５は、メニュースイッチ２６に対応するメニューを選択し、選択されたメニューに基づいて第１の調理器１１の調理始期を基準とした経過時間の計算を始める。
【００２９】
その後、制御部２５は選択されたメニューに基づいて、第１の調理器１１の調理終期、２台目以降の調理器１４，１７の調理始期または調理終期に至ると、警報器２１を作動し、警報器２１から警報音が発せられる。このような警報音が発せられることにより、作業者は各調理器１１，１４，１７の調理始期および調理終期を忘れることはなく、効率的に調理を行うことができる。
【００３０】
以上のように本実施の形態によれば、事前に効率的な調理方法の情報を複数のメニュー毎に制御部２５に入力することができ、第１の調理器１１で調理を開始した後、第１の調理器１１の調理終期、２台目以降の調理器１４，１７の調理始期または調理終期に至ると、事前に入力された情報に基づき制御部２５が警報器２１を作動し、警報器２１から警報音が発せられる。これにより、作業者は各調理器１１，１４，１７の調理始期および調理終期を忘れることはなく、効率的に調理を行うことができる。このため、料理を迅速に提供することができるとともに、料理の味を一定させることができる。
【００３１】
また、調理始期と調理終期および調理器別に警報器２１の警報音および警報回数を変更することができるようになっているので、調理手順を間違えることなく、効率的に調理を進めることができる。
【００３２】
さらに、シートスイッチからなるスタートスイッチ２３を第１の調理器１１の起動スイッチ１２に貼り付けることにより第１の調理器１１の調理始期を制御部２５に入力している。このため、調理器の回路を変更する必要はなく、既存の調理器をそのまま用いることができる。
【００３３】
なお、本実施の形態において、各調理器１１，１４，１７の調理終期についての情報も制御部２５に入力し、各調理器１１，１４，１７の調理終期に警報器２１を作動させる例を示したが、これに限らず、各調理器１１，１４，１７自体が調理終期に至ると警報音を発して自動で停止する場合には、調理終期についての情報を入力する必要はなく、制御部２５は調理終期において警報器２１を作動させるように構成する必要はない。
【００３４】
また、本実施の形態のおいて、制御部２５と警報器２１とを別体とした例を示したが、これに限らず、制御部２５と警報器２１とを一体としてもよい。
【００３５】
さらに、本実施の形態において、調理器を３台として調理システム１０を構成した例を示したが、これに限らず、調理器を3台以外の複数台として調理システム１０を構成してもよい。
【００３６】
［第２の実施の形態］
以下図面を参照して本発明の第２の実施の形態について説明する。
【００３７】
図４は本発明による調理システム１０の第２の実施の形態を示す概略図である。本実施の形態において、図１乃至図３に示す第１の実施の形態と同一部分には同一符号を付して詳細な説明は省略する。
【００３８】
図４に示すように、調理システム１０は第１の調理器１１と、第２の調理器１４と、第３の調理器１７と、各調理器１１，１４，１７に接続された制御部２５とを備えている。
【００３９】
本実施の形態が第１の実施の形態と異なるのは、各調理器と制御部２５が電気ケーブル１３，１５，１８を介して電気的に接続され、制御部２５からの信号によって各調理器１１，１４，１７を作動および停止することができる点である。
【００４０】
制御部２５は第１の実施の形態と同様に、複数のメニューを内蔵するとともに、各メニューに対応する複数のボタンから形成されるメニュースイッチ２６を有しており、この各メニュースイッチ２６に対応するメニュー毎に、第１の調理器１１の調理始期を基準とした第１の調理器１１の調理終期と２台目以降の調理器１４，１７の調理始期および調理終期が予め決定され、かつ入力される。制御部２５は内蔵されたこれらの情報に基づき、第１の調理器１１の調理が開始された後、第１の調理器１１の調理終期、２台目以降の調理器１４，１７の調理始期または調理終期に至った場合、各調理器１１，１４，１７を作動または停止する。
【００４１】
また、制御部２５はメニュースイッチ２６のいずれかが入れられた場合、各メニュースイッチ２６に対応したメニューを選択するとともに、選択されたメニューに基づいて第１の調理器１１の調理を開始させるようになっている。したがって、メニュースイッチ２６のいずれかが入れられた場合、制御部２５は第１の調理器１１の調理を開始させるとともに、選択されたメニューに基づいて第１の調理器１１の調理始期を基準とした経過時間の計算を始める。
【００４２】
次に、このような構成からなる本実施の形態の作用について説明する。
【００４３】
まず、食材を各調理器１１，１４，１７にセットした後、メニュースイッチ２６により所望のメニューを選択する。これにより、制御部２５は、メニュースイッチ２６に対応するメニューを選択し、選択されたメニューに基づいて第１の調理器１１の調理を開始させるとともに、第１の調理器１１の調理始期を基準とした経過時間の計算を始める。
【００４４】
その後、制御部２５は選択されたメニューに基づいて、第１の調理器１１の調理終期、２台目以降の調理器１４，１７の調理始期または調理終期に至ると、各調理器１１，１４，１７を順次作動または停止させる。これにより、事前に食材を各調理器１１，１４，１７にセットし対応するメニュースイッチ２６を入れるだけで、効率的に調理を行うことができる。
【００４５】
以上のように本実施の形態によれば、事前に食材を各調理器１１，１４，１７にセットし所望のメニュースイッチ２６を入れるだけで、効率的に調理を行うことができる。このため、料理を迅速に提供することができるとともに、料理の味を一定させることができる。
【００４６】
なお、本実施の形態において、各調理器１１，１４，１７の調理終期についての情報も制御部２５に入力し、制御部２５によって各調理器を停止させる例を示したが、これに限られず、各調理器１１，１４，１７自体が調理終期に至ると自動で停止する場合には、調理終期についての情報を入力する必要はなく、制御部２５も各調理器１１，１４，１７を停止させるように構成する必要はない。
【００４７】
また、最初に調理を開始する第１の調理器１１が常に同一の調理器に限定されるならば、本実施の形態で示したように第１の調理器１１と制御部２５が電気的に接続される必要はない。この場合、第１の実施の形態に示したように、制御部２５に接続されたシートスイッチからなるスタートスイッチ２３が第１の調理器１１の起動スイッチ１２に貼り付けられ、これにより、第１の調理器１１と制御部２５が接続される（図５）。すなわち、第１の実施の形態に示したように、第１の調理器１１の起動スイッチ１２を押すことにより、第１の調理器１１が調理を開始するとともに、制御部２５はスタートスイッチ２３を介して第１の調理器１１の調理始期を検知することができる。その後、本実施の形態で示したように、制御部２５は第１の調理器１１の調理始期を基準とした経過時間の計算を始め、２台目以降の調理器を順次作動または停止させる。このように構成した場合、調理システム１０を単純化することができるとともに、第１の調理器１１として既存の調理器を使用することができる。
【図面の簡単な説明】
【００４８】
【図１】本発明による調理システムの第１の実施の形態を示す概略図。
【図２】調理システムによる調理方法の例を示す図。
【図３】調理システムによる調理方法の異なる例を示す図。
【図４】本発明による調理システムの第２の実施の形態を示す概略図。
【図５】第２の実施の形態の変形例を示す図。
【符号の説明】
【００４９】
１０  調理システム
１１  第１の調理器
１２  起動スイッチ
１３  電気ケーブル
１４  第２の調理器
１５  電気ケーブル
１７  第３の調理器
１８  電気ケーブル
２１  警報器
２２  電気ケーブル
２３  スタートスイッチ
２４  電気ケーブル
２５  制御部
２６  メニュースイッチ
【図１】
2005173894.tif 000003
【図２】
2005173894.tif 000004
【図３】
2005173894.tif 000005
【図４】
2005173894.tif 000006
【図５】
2005173894.tif 000007